(57)【要約】【課題】自然葬で使用される位牌保管所に関し、特に、人がこの世を去って葬式を行う時、火葬した遺骨を、家族単位家系自然葬の用地に自然散布したり、又は樹木葬の方式で樹木の下に散布したり、又は既存の公園墓地の納骨堂に祀るなどの場合に使用する位牌保管所に関する。【解決手段】家族単位に自然葬の形態で葬式を行うように提供される家系自然葬位牌保管所が、家系別に順次に位牌が支柱に掛けられたり、又は家系別に順次に位牌板が配列されるように構成され、上記支柱又は位牌板の上部に、太陽光発電をする太陽発電装置を有し、上記支柱又は位牌板の下部又は位牌保管所の一側部には、故人の履歴や生涯の記録が保管される記録保管室を有する。【選択図】図２ａ
2016512448.tif 000002
【特許請求の範囲】
【請求項１】
家族単位に自然葬の形態で葬式を行うように提供される家系自然葬位牌保管所であって、
上記位牌保管所（１００）は、家系別に順次に位牌（５０）が掛けられる支柱（２０）又は位牌板（５１）を有し、
上記支柱又は位牌板の上部には、屋根を兼ねて太陽光発電をする太陽発電装置（４０）を有し、
上記支柱（２０）又は位牌板（５１）の下部又は位牌保管所の一側部には、故人の履歴や生涯の記録が保管される記録保管室６０を有する
ことを特徴とする家系自然葬位牌保管所。
【請求項２】
上記支柱（２０）は、縦又は横に提供され、支柱（２０）に家系別に位牌（５０）が順次に直接掛けられたり、又は、支柱（２０）に位牌かけ（２２）が掛けられた後、位牌かけ（２２）に家系の構成によって順次に位牌５０が掛けられる
請求項１に記載の家系自然葬位牌保管所。
【請求項３】
上記位牌板（５１）は、家系別に順次に、父母（１代）−子（２代）−孫（３代）−曽孫（４代）．．．の順に配列される位牌板である
請求項１に記載の家系自然葬位牌保管所。
【請求項４】
上記太陽光発電をするための集光板４０の傾斜側の下端部には雨水受け（８１）が設置され、一側部に雨集水井（８２）が設置され、雨水を再利用する
請求項１に記載の家系自然葬位牌保管所。
【請求項５】
家族単位に自然葬の形態で葬式を実施及び管理するための家系自然葬位牌保管所の利用方法であって、
家系別に順次に位牌が掛けられる支柱（２０）又は位牌板（５１）と、上記支柱又は位牌板の上部に太陽光発電をするように提供される太陽発電装置４０と、上記支柱又は位牌板の下部又は位牌保管所の一側部に故人の履歴や生涯の記録が保管される記録保管室５０とを有する位牌保管所を構成し、
上記位牌保管所の屋根の役目を果たす太陽発電装置（４０）は、太陽光を集光する集光板（４１）が一側に傾いた形態で提供され、上記集光板に照射された太陽光を用いて発電し、発電した電力を蓄える蓄電器４４を有し、上記蓄電器（４４）に蓄えられている電気を用いて、位牌保管所の内部や位牌（５０）又は位牌板（５１）に取り付けられた電灯を灯す
ことを特徴とする位牌保管所の利用方法。
【請求項６】
上記太陽発電装置（４０）から得た電気を用いて映像や音声を出力するメディア再生機（７０）をさらに備えられ、上記メディア再生機（７０）は、制御部（７１）と、音響データや映像データを記憶するメモリ部（７２）と、音響データを出力する音響出力部（７３）と、映像データを出力するディスプレイ部（７４）と、出力するデータを外部で指定するための操作部７５と、メモリ部に／からデータを入力／出力するための通信ポート（７６）と、で構成され、位牌保管所で故人の生前の映像を見たり音声を聞く
請求項５に記載の位牌保管所の利用方法。
【発明の詳細な説明】
【技術分野】
【０００１】
本願発明は、自然葬で使用される位牌保管所に関し、特に、人がこの世を去って葬式を行う時、火葬した遺骨を、家族単位家系自然葬の用地に自然散布したり、樹木葬の方式で樹木の下に散布したり、又は既存の公園墓地の納骨堂に祀るなどの場合に使用することができる。
【０００２】
本願の技術思想が適用される家系自然葬の位牌保管所は、父母（１代）−子（２代）−孫（３代）−曽孫（４代）、５代、６代、．．．．の単位に家系別に位牌を祀るように提供される位牌保管所であり、地面から垂直に立てられた支柱と、上記支柱の上部で屋根の役目を果たすとともに、太陽光を受けて太陽発電をする太陽光集電板と、上記支柱の底部又は特定位置に故人の遺品や履歴又は生涯の記録を盛り込んだ内容物を保管するタイムカプセルとを備えてなる位牌保管所に関する。
【背景技術】
【０００３】
一般に、葬法には、故人の遺体を火葬せずに安置する墳墓、火葬してその遺骨を壺に入れて納骨堂に保管する納骨墓、又は火葬してその遺骨を自然に還す散骨などの様々なものがある。
【０００４】
従来の韓国の葬墓文化は墳墓が支配的だったが、狭い国土面積と葬儀意識の変化などにより、最近では、火葬後に納骨したり散骨する葬法が多く愛用／拡散している。
【０００５】
本願で適用される自然葬は、火葬後にその遺骨を自然に還したり、火葬後の遺骨を遺骨保管函に入れて植物の周辺に埋め立てたり、又は遺骨保管函に入れず、一定深さに土を掘ってその上に遺骨を撒いた後、再び土を覆って植物を植える方法などがある。
【０００６】
他の方法は、樹木葬といわれるものであり、遺骨（骨粉）を樹木の下や周辺に撒く葬法である。これは、近年、自然を汚染せず、樹木にも有益であることから、環境親和的方法として認識されている。
【０００７】
地球上のあらゆる生命体は地水火風に戻るといわれる。
【０００８】
従来の葬儀文化は、例えば、公園墓地などを３〜５坪程度買ったり借りたりして父母（１代）のみを安置したり、又は経済的に余裕のある家庭では約８〜１０坪の墓地に父母（１代）−子（２代）を安置している。これに対し、本願で提供される１家族単位家系自然葬は、父母（１代）−子（２代）−孫（３代）−曽孫（４代）の単位に家系を継ぐ子孫が持続的に共有するように、例えば、位牌を祀る支柱に木の葉の形状に位牌を作り、最下段に父母（１代）の位牌、次の段に２代の位牌、その次の段に３代の位牌のように家系別に順次に位牌を祀るようにし、また、支柱の上部には太陽光発電集光板が設置されて発電システムを成し、支柱の底部、上部、又は所望する特定位置には、故人の遺品や履歴又は生涯の記録を入れたタイムカプセルなどが保管される故人遺品保管室が設けられる構成を有する、家系自然葬に適用可能な技術思想の発明である。
【０００９】
現在、太陽電池を用いた集光板発電システムは、約２０００坪の屋根を太陽電池集光板で設置する場合、約２５〜３０億ウォンの費用がかかると予想され、上記の面積に太陽電池集光板を設置して電力を得る場合、約５億ウォン／年を低減でき、約５〜７年後には投資額の全部が回収されると算出されている。しかも、今後、太陽電池を用いた発電システムの設置単価はさらに低くなる見込みである。したがって、太陽電池発電集光板を屋根に設置して発電システムを構成し、支柱の底部又は特定部位には故人の遺品や履歴又は生涯の記録を入れたタイムカプセルなどが保管される故人遺品保管室を設ける構成の本願の家系自然葬は、将来、より一層の競争力を確保できると予想される。しかも、先祖を祀る墓地ということから、単なる遊休空間として放置せず、普段は、電力生産施設として有益に活用しながら、野菜などの農産物が得られる生産緑地として活用することもできる。
【発明の概要】
【発明が解決しようとする課題】
【００１０】
本願は、限られた土地に継続的に増える墳墓の葬地や、火葬してその遺骨を壺に入れて保管する納骨公園面積の増加などを勘案し、また子孫たちが同じ先祖から出発したことを認識して和を保つように、家族単位に永久的に使用可能な家系自然葬が必要であることに気づいてなされた発明である。
【００１１】
本願は、家族単位家系自然葬の位牌保管所であって、先祖の父母（１代）−子（２代）−孫（３代）−曽孫（４代）．．．などに継がれる家系別に位牌のみを連続的に追加することによって持続的に使用できるように、家系別に分類して位牌を祀る支柱と、支柱の上部に設置されて発電システムをなす太陽電池発電集光板と、支柱の底部や特定部位に、故人の遺品や履歴又は生涯の記録を入れたタイムカプセル又はキオスク（ＫＩＯＳＫ）などが設置される故人遺品保管室とを有する、家系自然葬に適用される位牌保管所を提供することに目的がある。
【課題を解決するための手段】
【００１２】
本願の技術思想が適用されて実施される家系自然葬の用地は、例えば、公園墓地などを、家族単位家系自然葬が実施されるように、５坪、８坪、１０坪、１５坪、２０坪などと分譲し、それぞれの家系自然葬の用地に、一側には、生きて千年、死んでも千年といわれるイチイを植えて永久不滅を象徴するようにし、他の一側には、自然葬が実施されるように草原、花畑又は菜園などが設けられ、さらに他の一側には、位牌保管所が設けられる構成とすることができる。
【００１３】
本願は、上記のような家系自然葬の用地の一側に設置される位牌保管所を特徴とする。本願の技術思想が適用される位牌保管所は、家系別に順次に祀るように提供される位牌が掛けられる支柱、又は家系別に順次に配列される位牌板を有し、上記支柱又は位牌板の上部の屋根には、太陽光発電をするように提供される太陽発電装置を有し、上記支柱又は位牌板の下部又は位牌保管所の一側部には、故人の履歴や生涯の記録が保管される記録保管室を有する、家系自然葬位牌保管所とすることができる。
【００１４】
本願の位牌保管所において、上記支柱は、縦又は横に設けられるものであり、支柱に家系別に順次に位牌が直接掛けられたり、又は、支柱に位牌かけをつけた後、位牌かけに家系別に順次に位牌を祀るように構成することができる。
【００１５】
また、本願の位牌保管所において、上記の支柱に位牌かけを設ける代わりに、家系別に順次に父母（１代）−子（２代）−孫（３代）−曽孫（４代）．．．の順に配列される位牌板を設けることもできる。
【００１６】
また、本願の位牌保管所において、太陽光発電をするための集光板の傾斜側の下端部に雨受けが設けられ、家系自然葬の用地の一側部に雨集水井が設けられ、雨水を再利用するようにすることができる。
【００１７】
本願は、家族単位に自然葬の形態で葬式を実施及び管理するための家系自然葬位牌保管所の利用方法であって、家系別に順次に祀るように位牌が掛けられる支柱又は位牌板が設けられ、上記支柱又は位牌板の上部の屋根には、太陽光発電をするように太陽発電装置が設けられ、上記支柱又は位牌板の下部又は位牌保管所の一側部には、故人の履歴や生涯の記録が保管される記録保管室が設けられる構成の位牌保管所が提供され、上記位牌保管所の屋根の役目を果たす太陽発電装置は、太陽光が照射される集光板が一側に傾いた形態で設けられ、上記集光板に照射された太陽光を使って発電し、発電した電力を蓄える蓄電器を有し、上記蓄電器に蓄えられた電気を使って位牌保管所の内部、位牌、又は位牌板に取り付けた電灯を灯すようにした技術思想の発明である。
【００１８】
本願では、位牌保管所に設置される太陽発電装置から得た電気によって映像や音声を出力するメディア再生機又はキオスク（ＫＩＯＳＫ）などをさらに備えることができる。上記機器は、制御部と、音響データや映像データを記憶するメモリ部と、音響データを出力する音響出力部と、映像データを出力するディスプレイ部と、出力するデータを外部で指定するための操作部と、メモリ部に／からデータを入力／出力するための通信ポートとを有し、タッチスクリーン、グラフィックなどのマルチメディア機器が活用されて、音声サービス、動画を具現するなど、利用者に効率的な情報を提供する無人案内システムや、遠隔でシステムアップデート、コンテンツアップデート、点検及びメンテナンスが可能に構成され、これによって、位牌保管所で故人の生前の映像を見たり音声を肉声で聞くことができる。
【００１９】
本願の位牌保管所の内部で、位牌は縦又は横に提供され、例えば、縦形の支柱に位牌が掛けられる構成では、支柱の一定高さごとに、位牌が掛けられる枝状の位牌かけを複数個設けることによって、支柱と位牌かけをあたかも木に枝が伸びているような形状にすることができる。また、上記位牌かけに掛けられる位牌も、アルミニウム、銅、金、銀、ステンレスなどの不燃材金属板に故人の名前、生年月日及び死亡日が記載されたり、又はアクリル樹脂などの合成樹脂に故人の名前、生年月日及び死亡日が記載され、外面が防水コーティングされるなど、きれいに装飾された形態とすることができる。
【００２０】
また、位牌や位牌板の上端にはＬＥＤ、微灯（微細電球）が設置され、常に（永久に）位牌を照らすようにすることができる。例えば、位牌を花びらの形状などにし、最下段に１代、その上階に２代、３代、４代のような順に配列することができる。これによって、同一の先祖から出発した家族であることを証明し、連帯識別感を高めることができる。
【００２１】
また、後世の子孫が尋ねて故人を記憶し追慕する際、故人の遺言や教訓を反芻するための手段として、上記支柱や支柱の一側部には、使用者が所望の音響／映像データを選択するためのキー操作部、及び音響／映像データを出力する出力部が設けられ、上記選択された音響／映像データが送出されるように制御する制御部が設けられる構成を有する運営システム又はキオスク設備を備えることもできる。また、本願の位牌保管所の屋根に設置された太陽電池集光板から得た電力を充電部に蓄えて、自然葬公園の施設に電源として用いたり、余剰電力は電力会社などに販売することができ、また、子孫が家族自然葬公園を訪れた時には、充電部に蓄えられた電力を用いて音響／映像出力部からの内容物を子孫が見聞きしながら、故人の遺言や教訓を反芻するようにすることもできる。
【発明の効果】
【００２２】
本願によれば、家族単位に設置される家系自然葬で生産される各電力はたとえ少ない量ではあるものの、例えば、公園墓地のように多数の家族単位の家系自然葬の用地が５坪、８坪、１０坪、１５坪、２０坪などで分譲されることを考慮すると、それぞれの家系自然葬の用地で生産される電力が集まると大きな電力となり、これによって、自然葬公園の公共施設の自体電源としては十分てあり、しかも余剰電力は電力会社などに販売することができる。
【００２３】
また、本願で提供される家系自然葬は、単なる葬儀公園の機能に止まらず、電力を生産する生産施設として活用されて収益を創出することができる。この収益で管理人に月給を支払い、常にきれいで整頓された状態に家系自然葬公園を維持することができる。また、海外にいる子孫は、家系自然葬公園にＣＣＴＶなどを設置し、遠隔地でも公園の管理状態を確認することができる。また、家族自然葬公園に備蓄された電力によって音響／映像機器やキオスクの内容物を再度見聞きしながら故人の遺言や教訓を反芻し、改めて覚悟を固めることができる。
【図面の簡単な説明】
【００２４】
【図１】本願の技術思想によって家系自然葬の環境を作り、家系自然葬の位置に位牌保管所が設置されるための公園用地が様々な坪数別に提供されている例示を示す説明図
【図２ａ】本願で提供される家系自然葬に設置される位牌保管所を例示する説明図
【図２ｂ】図２ａの位牌保管所に設置される支柱を例示する説明図
【図２ｃ】図２ｂの支柱に設置される位牌を例示する説明図
【図３】本願の技術思想が適用される位牌保管所の他の実施の形態を示す説明図
【図４】本願で提供される位牌保管所の屋根である太陽光発電装置を例示する説明図
【図５】本願の位牌保管所に設置されるメディア記録物の例示図
【図６】本願の位牌保管所で雨水を再利用する構成を例示する説明図
【発明を実施するための形態】
【００２５】
本願の技術思想が適用されて提供される家系自然葬の用地は、例えば、公園墓地などに家族単位家系自然葬が実施されるように、５坪、８坪、１０坪、１５坪、２０坪などで分譲され、それぞれの家系自然葬の用地一側には、イチイなどが植えられ、他の一側には自然葬が実施されるように草原又は花畑などが設けられ、さらに他の一側には、位牌保管所が設置される構成とすることができ、位牌保管所は、地面から垂直又は水平に設置される支柱と、上記支柱に縦又は横方向に一定間隔で家系別に設置される位牌とを備え、上記支柱の上部の屋根には、一定の勾配を持つ太陽発電装置が屋根の機能を兼ねるように設置されて電気を生産し、上記位牌保管所の下部又は特定の場所には、故人の遺品や履歴を入れた記録保管室が設けられた構成とすることができる。
【００２６】
本願の技術思想は様々な実施の様態に適用されてもよいが、本願では、家族単位家系自然葬の位牌保管所の好適な構成について、実施例と共に添付された図面を参照して説明する。
【００２７】
図１は、本願の技術思想が適用されて家系自然葬環境をなし、家系自然葬の位置に位牌保管所が設置されるための公園用地が、需要者のニーズに対応する様々な坪数別に提供される例を示す図である。例えば、葬儀公園用地として、家族単位別に家系自然葬が実施されるように、進入路及び共用駐車場沿いに５坪、７坪、１０坪、１５坪、２０坪などで分譲され、それぞれの家族単位別に分譲された面積内で家系自然葬を実施することができる。
【００２８】
各単位の家系自然葬の用地は、例えば、１０坪が分譲された場合、一側にはイチイなどが植えられ、他の一側には自然葬が実施される草原又は花畑などとして３〜４坪が提供され、残る３〜４坪の空間に、図２に提示する位牌保管所１００を設置することができる。
【００２９】
図２は、本願で提供する家族単位家系自然葬位牌保管所の好ましい構成を例示する図である。図２ａは、本願で提供する家族単位家系自然葬位牌保管所１００の基本的な構成を示す図であり、位牌保管所１００は、底部１０の床面から垂直に立てられる支柱２０と、該支柱を中心にその周辺にフレームを形成する４個の柱３０と、これら４個の柱３０の上端部に、太陽光を集光して発電する太陽発電装置４０が設置されており、底部１０の下には、故人の遺品を保管、保存する記録保管室４０が設けられている。図２ｂは、支柱２０に設けられた支柱孔２１に複数の位牌かけ２２ａ，２２ｂ，２２ｃが差し込まれている様子を示し、図２ｃは、上記の位牌かけに家系別に位牌５０ａ，５０ｂ，５０ｃが掛けられた様子を示している。
【００３０】
図２ａに示した位牌保管所１００において、中心部に設けられた支柱２０は、一定高さごとに複数個の支柱孔２１が開けられているが、支柱２０は、家族の数が多い場合には、縦支柱が複数個提供されたり、又は横に提供されてもよい。また、支柱２０の支柱孔２１には、家系別に直接木の葉の形状の位牌５０が順次に掛けられてもよく、支柱孔２１に直接位牌が掛けられず、中間媒介体として位牌かけ２２ａ，２２ｂ，２２ｃをつけた後、それぞれの位牌かけ２２に、家系の構成によって順次に位牌５０ａ，５０ｂ，５０ｃを祀るようにしてもよい。また、底部１０と太陽発電装置４０との間において外周部に４個の柱３０が支柱と平行に立てられており、図示してはいないが、これらの柱の間にはガラス板やアクリル板などが仕切りの形態で挟持され、内部に雨、雪、風などが入ることを防止し、家族たちが集まって食事するなどの空間とすることもできる。
【００３１】
支柱２０の上端部に設置される太陽発電装置４０は、一側方向、好ましくは、太陽光を最大限に受光するように南の方に向けて一側に傾いた屋根の形態をしており、太陽光を受けて発電して電気を生産、蓄える手段を有することができる。
【００３２】
支柱２０の下端部に設けられる記録保管室６０は、地表面（Ｇ．Ｌ線）に沿う底部１０の下の地中に埋められることが好ましい。また、記録保管室６０は、内部に故人の遺品や生涯の記録又は履歴などを保管できるようにし、湿気とホコリを遮断し、適正温度を保つように密閉構造とすることが好ましい。また、記録保管室６０の一側には、内部を開閉するようにドア６１を取り付けることができる。図２ａでは、ドア６１が地中に位置しているが、地表面（Ｇ．Ｌ線）で開けるような位置に設置されることは当然であり、ドア６１は、底部１０で開けるように設けることができる。
【００３３】
図２ｂは、支柱２０に設けられた支柱孔２１に複数個の位牌かけ２２ａ，２２ｂ，２２ｃが差し込まれた形態を例示しており、図２ｃは、上記の位牌かけに家系別に位牌５０ａ，５０ｂ，５０ｃが掛けられている例示を示している。例えば、父母は、地面と最も近い、低い高さに差し込まれた位牌かけ２２ａに位牌５０ａが掛けられるようにし、その真上の位牌かけ２２ｂには、父母の子の位牌５０ｂが掛けられるようにし、その上側の位牌かけ２２ｃには孫の位牌５０ｃが掛けられるようにすると、位牌保管所を訪れた子孫は、自身の家系の根を、本願で提供する家系自然葬位牌保管所から容易に把握し理解することができる。
【００３４】
図３は、本願の技術思想が適用される位牌保管所の他の実施の形態を示す図である。図２では、位牌保管所の中央部に設けられた支柱２０に支柱孔２１が形成され、支柱孔２１に位牌かけ２２が差し込まれた形態を例示したが、図３では、位牌保管所における柱３０と他の柱、又は柱３０と支柱２０との間に、家系別に順次に、父母（１代）−子（２代）−孫（３代）−曽孫（４代）．．．の順に配列された形態の位牌板５１が掛けられた形態を示している。また、位牌板５１は電光板の形態にしてもよい。また、図２では、位牌保管所の下部に、単純にドア６１を有する記録保管室６０が提供される構成を示したが、図３では、位牌保管所の下部を、図２のような単純な記録保管室６０とせず、山火やその他の災害を予防するように、コンクリートプレカスト製品又は防炎機能を持つ耐火プラスチック製品で構成した記録保管室６０´を示している。図３に示す記録保管室６０´は、コンクリートプレカスト製品の壁面６２を有し、その内部には、メディア装置、他の遺物保管函及びタイムカプセルなどが収納される区画部を有し、上部中央には出入口６４が設けられており、出入口６４は、ふた１１を有する。プレカスト製品の上部外縁には、位牌保管所１００の柱３０とねじ結合されるようにジョイント部６３が設けられており、このプレカスト製品を現場に運搬し、土地を掘ってまず安置し、その上部に位牌保管所の柱３０をねじ結合させる組立方法を適用することができる。
【００３５】
図４は、本願で屋根の役目を果たす太陽発電装置を用いて太陽発電をする位牌保管所を例示する側面図である。
【００３６】
太陽発電装置４０は、太陽光を集光する集光板４１と、集光板４１に照射された太陽熱を用いて発電する発電器４２とを備えることができ、この発電器４２で生成された電気は電線１（４３）を通して蓄電器４４に送られ、蓄電器４４に蓄えられた電気は、別に設けられた電線２（４５）を通して支柱２０や柱３０に沿って下に送られる。また、位牌保管所１００の一側の空間にはメディア再生機７０が保管されたり、又は族譜などが保管される保管函が設けられてもよい。
【００３７】
このように得られた電力を用いて、位牌保管所内の電灯を灯したり、余剰電力は電力会社などに販売することができる。また、子孫が訪れたとき、備蓄した電力を用いて子孫が電気を使用したり、メディア再生機から故人の映像や音声を見聞きしながら、故人の遺言や教訓を反芻するようにすることができる。
【００３８】
図５は、メディア再生機が構成された位牌保管所を例示する図である。メディア再生機７０は、太陽発電装置４０の集光板４１を用いて発電した電気を蓄えている蓄電器４４の電力を使用できるように構成することができる。メディア再生機７０は、再生機内部を制御する制御部７１、音声データと映像データを記憶するメモリ部７２、音声データを出力する音響出力部７３、映像データを出力するディスプレイ部７４、出力するデータを選択するための操作部７５、新しいデータをメモリ部に入力したり、メモリ部に記憶されているデータを出力するための通信ポート７６と、を有することができる。
【００３９】
ここで、操作部７５は、キー入力、マウス入力、又はタッチスクリーンなどを用いることができ、通信ポート７６は、ＵＳＢポート、ブルトゥース（ｂｌｕｅｔｏｏｔｈ）、ワイファイ（Ｗｉｆｉ）無線通信ポートなどを用いることができる。また、キオスク（ＫＩＯＳＫ）などの無人情報端末器が設置されて用いられてよい。
【００４０】
図６は、本願の位牌保管所の屋根に当たる雨水を再利用するために、雨受けと雨集水井がさらに構成された位牌保管所を例示する図である。太陽発電装置４０である集光板４１の傾斜面の下端部に、一側から雨水が流れるように雨水受け８１が設置され、雨水受け８１から流下する雨水を案内する誘導管８３を通して雨水を貯留する雨集水井８２が別に設けられており、これによって、雨水を再利用することができる。
【００４１】
雨水受け８１は、集光板４１の傾斜側に設置され、集光板４１の傾斜に沿って流下する雨水を受けて一側から流すように構成される。雨集水井８２に貯留されている雨水は、訪れた子孫が便利に使用するように提供される。
【００４２】
本願で提供される家族単位家系自然葬の位牌保管所において屋根を支える支柱は、家系自然葬の規模又は太陽電池発電のための集光板の設置規格によって、例えば、表面腐食しないステンレス製金属などの耐錆性材質からなる１〜４個の垂直軸として提供されてもよく、この垂直軸は、傾斜支持軸などで補助されるようにしてもよい。上記位牌は、例えば、金属板又はアクリル板を木の葉の形状に加工したものとし、木の形態となるように支柱に位牌を差し込んだり掛けたりすることができる。むろん、家族数が多い場合には、左から右へ又は右から左へ、家系別にいくらでも好きな方式で位牌を配置してもよい。
【００４３】
例えば、加工された位牌が、木の形状として支柱に差し込まれたり掛けられたりする場合、各家系別に兄弟の人数が異なるため、上記支柱には位牌かけが差し込まれる孔を複数個形成し、家系の状況に応じて上記位牌かけの配置を変更すればよい。
【符号の説明】
【００４４】
１０  位牌保管所の底面
１１  遺物保管室の出入口
２０  支柱
２１  支柱孔
２２  位牌かけ
３０  柱
４０  太陽発電装置
４１  集光板
４２  発電器
４４  蓄電器
５０  位牌
５１  位牌板
６０  記録保管所
６１  ドア
７０  メディア再生機
７１  制御部
７２  メモリ部
７３  音響出力部
７４  ディスプレイ部
７５  操作部
７６  通信ポート
８１  雨水受け
８２  雨集水井
８３  誘導管
１００  位牌保管所
【図１】
2016512448.tif 000003
【図２ａ】
2016512448.tif 000004
【図２ｂ】
2016512448.tif 000005
【図２ｃ】
2016512448.tif 000006
【図３】
2016512448.tif 000007
【図４】
2016512448.tif 000008
【図５】
2016512448.tif 000009
【図６】
2016512448.tif 000010
【国際調査報告】
2016512448.tif 000011
2016512448.tif 000012
2016512448.tif 000013
2016512448.tif 000014